(57)【要約】【課題】本発明は、安定的に温水を使用部へ供給できるＬＮＧサテライト設備を提供することを目的とする。【解決手段】ＬＮＧ貯留タンク１と、ＬＮＧ気化器２と、第１の温水バッファタンク３および第２の温水バッファタンク４と、第１の温水バッファタンク３内の温水を排出する第１の払出しノズル部５と、第２の温水バッファタンク４内の温水を排出する第２の払出しノズル部６と、第１の払出しノズル部５を通って排出された温水および第２の払出しノズル部６を通って排出された温水をＬＮＧ気化器２に供給する温水供給管７と、第１の検出部８と、第２の検出部９と、報知部１０と、第１の検出部８から検出された第１の水圧の値と第２の検出部９から検出された第２の水圧の値との差が所定値以上になった場合に報知部１０に異常を報知させる制御装置１１と、を備えるＬＮＧサテライト設備１００。【選択図】図１
2011027282.tif 000002
【特許請求の範囲】
【請求項１】
ＬＮＧを気化するためのＬＮＧサテライト設備であって、
ＬＮＧが貯留されるＬＮＧ貯留タンクと、
ＬＮＧを気化させて、ガスを生成するＬＮＧ気化器と、
前記ＬＮＧ気化器を加温するために供給される温水を貯留する第１の温水バッファタンクおよび第２の温水バッファタンクと、
前記第１の温水バッファタンクの下部に設けられ温水を排出する第１の払出しノズル部と、
前記第２の温水バッファタンクの下部に設けられ温水を排出する第２の払出しノズル部と、
前記第１の温水バッファタンクから前記第１の払出しノズル部を通って排出された温水および前記第２の温水バッファタンクから前記第２の払出しノズル部を通って排出された温水を前記ＬＮＧ気化器に供給する温水供給管と、
前記第１の温水バッファタンクの水圧を検出する第１の検出部と、
前記第２の温水バッファタンクの水圧を検出する第２の検出部と、
前記ＬＮＧ気化器に供給される温水の流れの異常を報知する報知部と、
前記第１の検出部から検出された第１の水圧の値と前記第２の検出部から検出された第２の水圧の値との差が所定値以上になった場合に前記報知部に異常を報知させる制御装置と、を備えるＬＮＧサテライト設備。
【請求項２】
前記第１の払出しノズル部に取り付けられ前記第１の温水バッファタンクの内方に突出して配置される第１のストレーナと、
前記第２の払出しノズル部に取り付けられ前記第２の温水バッファタンクの内方に突出して配置される第２のストレーナと、をさらに備える請求項１に記載のＬＮＧサテライト設備。
【請求項３】
前記第１のストレーナおよび前記第２のストレーナの各々は、円筒形状であり、該円筒形状の周面に網目状部材が配置されている、請求項２に記載のＬＮＧサテライト設備。
【発明の詳細な説明】
【技術分野】
【０００１】
本発明はＬＮＧを気化するためのサテライト設備に関する。特にＬＮＧサテライト設備におけるＬＮＧ気化器を加温するための設備に関する。
【背景技術】
【０００２】
現在、天然ガス（以下、ＮＧともいう）を使用する工場や共用施設等の需要地が液化天然ガス（以下、ＬＮＧともいう）を最初に受け入れる一次受入れ基地から離れている場合、需要地の近くに二次受入れ基地（サテライト基地）を配置し、このサテライト基地から需要地に天然ガスを供給する方法がとられている。このようなサテライト基地には、通常、ＬＮＧを貯留するＬＮＧ貯留タンクとともにＬＮＧを気化させるＬＮＧ気化器が設置されており、ＬＮＧ貯留タンクに貯留されたＬＮＧは、ＬＮＧ気化器により気化されて天然ガスとなり、需要地に供給される。このサテライト基地は、需要地に向け、常に安定して天然ガスを供給しなくてはならない。
【０００３】
ＬＮＧサテライト設備に設置されるＬＮＧ気化器は、例えば、ＬＮＧを加温して気化させるために温水を利用している。従って、ＬＮＧサテライト設備においては、ＬＮＧ気化器へ温水を供給するための温水を貯留する温水バッファタンクが用いられている。
【０００４】
例えば、温水を貯留する温水槽の使用は、特許文献１に記載されている。特許文献１には、温水を貯留する温水槽の下部に温水生成器を備え、温水槽の下部から上部まで比較的温度差の少ない温水が貯留されて、高温の温水を温水槽の上部から使用部に供給する方法が開示されている。
【０００５】
しかしながら、特許文献１で開示された方法では、１基の温水槽から使用部に温水を供給しているため、異物がタンク内に入り込んで温水の供給部が詰まった場合には、使用部への温水の供給が停止してしまう。温水の供給が一度停止すると、温水供給を再開しても、温水の温度および温水供給使用部の温度はすぐには回復せず、多大な損害を被る。
【先行技術文献】
【特許文献】
【０００６】
【特許文献１】特開平１１−８２９１２号公報
【発明の概要】
【発明が解決しようとする課題】
【０００７】
従って、本発明は、安定的に温水を使用部へ供給できるＬＮＧサテライト設備を提供することを目的とする。
【課題を解決するための手段】
【０００８】
本発明は、ＬＮＧを気化するためのＬＮＧサテライト設備であって、ＬＮＧが貯留されるＬＮＧ貯留タンクと、ＬＮＧを気化させて、ガスを生成するＬＮＧ気化器と、前記ＬＮＧ気化器を加温するために供給される温水を貯留する第１の温水バッファタンクおよび第２の温水バッファタンクと、前記第１の温水バッファタンクの下部に設けられ温水を排出する第１の払出しノズル部と、前記第２の温水バッファタンクの下部に設けられ温水を排出する第２の払出しノズル部と、前記第１の温水バッファタンクから前記第１の払出しノズル部を通って排出された温水および前記第２の温水バッファタンクから前記第２の払出しノズル部を通って排出された温水を前記ＬＮＧ気化器に供給する温水供給管と、前記第１の温水バッファタンクの水圧を検出する第１の検出部と、前記第２の温水バッファタンクの水圧を検出する第２の検出部と、前記ＬＮＧ気化器に供給される温水の流れの異常を報知する報知部と、前記第１の検出部から検出された第１の水圧の値と前記第２の検出部から検出された第２の水圧の値との差が所定値以上になった場合に前記報知部に異常を報知させる制御装置と、を備えるＬＮＧサテライト設備に関する。
【０００９】
本発明のＬＮＧサテライト設備によれば、第１の温水バッファタンクの水圧を検出する第１の検出部と、第２の温水バッファタンクの水圧を検出する第２の検出部とを設け、第１の検出部から検出された第１の水圧の値と第２の検出部から検出された第２の水圧の値との差が所定値以上になった場合に報知部に異常を報知させた。これにより、第１の温水バッファタンクまたは第２の温水バッファタンクのいずれか一方が詰まった場合に異常が報知される。よって、片方の温水バッファタンクに異常が生じた場合にももう一方の温水バッファタンクが正常に動作されるため、温水の供給が停止しない。その結果、温水を温水使用部に安定的に供給することができる。
【００１０】
また、ＬＮＧサテライト設備は、前記第１の払出しノズル部に取り付けられ前記第１の温水バッファタンクの内方に突出して配置される第１のストレーナと、前記第２の払出しノズル部に取り付けられ前記第２の温水バッファタンクの内方に突出して配置される第２のストレーナと、をさらに備えることが好ましい。
【００１１】
この発明によれば、第１の払出しノズル部に取り付けられ第１の温水バッファタンクの内方に突出して配置される第１のストレーナと、第２の払出しノズル部に取り付けられ第２の温水バッファタンクの内方に突出して配置される第２のストレーナと、を設けた。これにより、第１の温水バッファタンク内の温水中の異物が第１の払出しノズル部に進入するのを防止でき、第２の温水バッファタンク内の温水中の異物が第２の払出しノズル部に進入するのを防止できる。従って、払出しノズル部における異物の詰まりを軽減することができる。
【００１２】
また、前記第１のストレーナおよび前記第２のストレーナの各々は、円筒形状であり、該円筒形状の周面に網目状部材が配置されていることが好ましい。
【００１３】
この発明によれば、第１のストレーナおよび第２のストレーナの各々を、円筒形状とし、該円筒形状の周面に網目状部材を配置した。これにより、第１の払出しノズル部および第２の払出しノズル部の各々から排出される温水の吸い込み面積が増加することで流速が低下し、異物の吸い込みを軽減できる。また、網目状により、細かな異物も第１の払出しノズル部および第２の払出しノズル部に進入するのを防止できる。従って、払出しノズル部における異物の詰まりをさらに軽減することができる。
【発明の効果】
【００１４】
本発明によれば、第１の温水バッファタンクの水圧を検出する第１の検出部と、第２の温水バッファタンクの水圧を検出する第２の検出部とを設け、第１の検出部から検出された第１の水圧の値と第２の検出部から検出された第２の水圧の値との差が所定値以上になった場合に報知部に異常を報知させた。これにより、第１の温水バッファタンクまたは第２の温水バッファタンクのいずれか一方が詰まった場合に異常が報知される。よって、片方の温水バッファタンクに異常が生じた場合にももう一方の温水バッファタンクが正常に動作されるため、温水の供給が停止しない。その結果、温水を温水使用部に安定的に供給することができる。
【図面の簡単な説明】
【００１５】
【図１】本発明の一実施形態のＬＮＧサテライト設備を示す模式図である。
【図２】本発明の一実施形態の第１のストレーナおよび第２のストレーナの側面図である。
【発明を実施するための形態】
【００１６】
以下、本発明の実施形態について、図面に基づいて説明する。
【００１７】
図１は、本発明のＬＮＧサテライト設備１００の一実施形態を示す模式図である。図２は、第１のストレーナ２３および第２のストレーナ２４の側面を示した図である。ＬＮＧサテライト設備１００は、天然ガスを工場や共用施設等の需要地に供給することを目的として設置されている。
【００１８】
図１に示すように、ＬＮＧサテライト設備１００は、ＬＮＧ貯留タンク１と、ＬＮＧ気化器２と、第１の温水バッファタンク３と、第２の温水バッファタンク４と、第１の払出しノズル部５と、第２の払出しノズル部６と、温水供給管７と、第１の検出部８と、第２の検出部９と、報知部１０と、制御装置としてのＬＮＧサテライト設備制御装置１１と、ＬＮＧ供給管１２と、ＮＧ供給管１３と、温水生成部１４と、温水送水管１５と、蒸気生成部１６と、蒸気供給管１７と、ポンプ１８と、温水返水管１９、２１、２２と、温水返水管調節弁２０と、第１のストレーナ２３と、第２のストレーナ２４と、ＬＮＧ流通管２５と、温水流通管２６と、を備える。
【００１９】
ＬＮＧ貯留タンク１は、ＬＮＧローリー車（図示せず）により輸送されてきたＬＮＧを貯留する。
【００２０】
第１の温水バッファタンク３は、ＬＮＧをＮＧに気化させるために利用される温水を貯留する。
【００２１】
第２の温水バッファタンク４は、ＬＮＧをＮＧに気化させるために利用される温水を貯留する。
【００２２】
温水生成部１４は、第１の温水バッファタンク３および第２の温水バッファタンク４のそれぞれに供給する温水を生成する。この温水生成部１４は、例えば、ボイラー（図示せず）により構成される。
【００２３】
温水送水管１５は、温水生成部１４と第１の温水バッファタンク３および第２の温水バッファタンク４とを連結する。温水送水管１５は、下流側が、温水送水管２７ａと温水送水管２７ｂとに分岐しており、温水送水管２７ａは、第１の温水バッファタンク３と連結し、温水送水管２７ｂは、第２の温水バッファタンク４と連結する。温水送水管１５の上流側は、温水生成部１４と連結する。温水送水管１５は、温水生成部１４内の温水を第１の温水バッファタンク３および第２の温水バッファタンク４に供給する。
【００２４】
蒸気生成部１６は、第１の温水バッファタンク３および第２の温水バッファタンク４のそれぞれに供給する蒸気を生成する。蒸気生成部１６は、例えば、ボイラー（図示せず）により構成される。蒸気生成部１６によって生成された蒸気は、第１の温水バッファタンク３および第２の温水バッファタンク４内の温水を加温する。蒸気生成部１６内には、第１の温水バッファタンク３および第２の温水バッファタンク４に供給する蒸気の量を調節する蒸気供給弁（図示せず）が設けられる。
【００２５】
蒸気供給管１７は、蒸気生成部１６と第１の温水バッファタンク３および第２の温水バッファタンク４とを連結する。蒸気供給管１７は、下流側が、蒸気供給管２９ａと蒸気供給管２９ｂとに分岐しており、蒸気供給管２９ａは、第１の温水バッファタンク３と連結し、蒸気供給管２９ｂは、第２の温水バッファタンク４と連結する。蒸気供給管１７の上流側は、蒸気生成部１６と連結する。蒸気供給管１７は、蒸気生成部１６内の蒸気を第１の温水バッファタンク３および第２の温水バッファタンク４に供給する。
【００２６】
第１の払出しノズル部５は、第１の温水バッファタンク３内の温水を排出する。第１の払出しノズル部５は、第１の温水バッファタンク３の下部に備えられる。
【００２７】
第２の払出しノズル部６は、第２の温水バッファタンク４内の温水を排出する。第２の払出しノズル部６は、第２の温水バッファタンク４の下部に備えられる。
【００２８】
温水供給管７は、第１の払出しノズル部５および第２の払出しノズル部６とＬＮＧ気化器２とを連結する。温水供給管７は、第１の温水バッファタンク３から第１の払出しノズル部５を通って排出された温水および第２の温水バッファタンク４から第２の払出しノズル部６を通って排出された温水をＬＮＧ気化器２に供給する。温水供給管７の上流側は、第１の払出しノズル部５と連結する管と、第２の払出しノズル部６と連結する管とに分岐する。第１の払出しノズル部５と連結する管には、第１の温水バッファタンク３から供給される温水の量を調節する温水供給管調節弁７ａが設けられ、第２の払出しノズル部６と連結する管には、第２の温水バッファタンク４から供給される温水の量を調節する温水供給管調節弁７ｂが設けられる。温水供給管７の下流側は、ＬＮＧ気化器２と連結する温水供給管７ｃと、バイパス管７ｄとに分岐する。
【００２９】
バイパス管７ｄの下流側の端部は、温水返水管１９に連結される。バイパス管７ｄには、バイパス管７ｄを流れる温水の量を調節するバイパス管調節弁３１が設けられる。バイパス管７ｄは、温水供給管７を流通する温水の一部を温水返水管１９に送る。温水供給管７には、ＬＮＧ気化器２に供給する温水の温度を測定する温度センサ（図示せず）が設けられる。
【００３０】
ポンプ１８は、温水供給管７に設けられる。ポンプ１８は、第１の温水バッファタンク３および第２の温水バッファタンク４に貯留された温水を温水供給管７を介してＬＮＧ気化器２に供給する。
【００３１】
ＬＮＧ気化器２は、第１の温水バッファタンク３および第２の温水バッファタンク４から供給された温水を利用してＬＮＧをＮＧに変換する。ＬＮＧ気化器２は、ＬＮＧ貯留タンク１から供給されたＬＮＧ（変換後はＮＧ）が流通するＬＮＧ流通管２５と、第１の温水バッファタンク３および第２の温水バッファタンク４から供給された温水が流通する温水流通管２６と、を備える。
【００３２】
ＬＮＧ流通管２５は、上流側がＬＮＧ貯留タンク１内のＬＮＧをＬＮＧ気化器２に供給するＬＮＧ供給管１２と連結する。ＬＮＧ流通管２５の下流側は、ＮＧ供給管１３に連結される。ＬＮＧ流通管２５内で、ＬＮＧ供給管１２を介して供給されたＬＮＧがＮＧに変換される。変換されたＮＧは、ＬＮＧ流通管２５内を流通し、ＮＧ供給管１３に供給される。
【００３３】
ＮＧ供給管１３は、気化されたＮＧを需要地に供給する。ＮＧ供給管１３のＬＮＧ流通管２５側（ＬＮＧ気化器２の出口）には、温度センサ３０が設けられる。ＮＧ供給管１３に設けられた温度センサ３０は、変換されたＮＧの温度を測定する。
【００３４】
温水流通管２６は、上流側が温水供給管７ｃと連結され、下流側が温水返水管１９と連結される。温水供給管７ｃから供給された温水流通管２６内の温水が、ＬＮＧ流通管２５内のＬＮＧを加温し、ＬＮＧがＮＧに変換される。温水流通管２６内の温水は、温水流通管２６内を流通し、温水返水管１９に供給される。
【００３５】
温水返水管１９は、上流側が温水流通管２６と連結される。温水返水管１９の下流側は、温水返水管２１および温水返水管２２に連結される。温水返水管１９は、温水流通管２６およびバイパス管７ｄから供給された温水を温水返水管２１または温水返水管２２に送る。
【００３６】
温水返水管２１は、下流側が温水返水管２８ａと温水返水管２８ｂとに分岐しており、温水返水管２８ａは、第１の温水バッファタンク３と連結し、温水返水管２８ｂは、第２の温水バッファタンク４と連結する。温水返水管２１は、温水返水管１９を介して送られた温水を、第１の温水バッファタンク３および第２の温水バッファタンク４に戻す。第１の温水バッファタンク３および第２の温水バッファタンク４に戻された温水は、再び、ＬＮＧ気化器２に供給されるために貯留される。
【００３７】
温水返水管２２は、下流側が温水生成部１４に連結される。温水返水管２２には、温水返水管２１および温水返水管２２を流れる温水の量を調節する温水返水管調節弁２０が設けられる。温水返水管２２は、温水返水管１９を介して送られた温水を、温水生成部１４に戻す。温水生成部１４に戻された温水は、再び、加温される。
【００３８】
第１の検出部８は、第１の温水バッファタンク３に設けられる。この第１の検出部８は、第１の温水バッファタンク３における水圧を検出する。第１の検出部８は、例えば、水圧を検出するセンサにより構成される。
【００３９】
第２の検出部９は、第２の温水バッファタンク４に設けられる。この第２の検出部９は、第２の温水バッファタンク４における水圧を検出する。第２の検出部９は、例えば、水圧を検出するセンサにより構成される。
【００４０】
報知部１０は、ＬＮＧ気化器２に供給される温水の異常が生じた場合に異常を報知する。また、報知部１０は、ＮＧ供給管１３を流通するＮＧの温度が所定値以下になった場合に異常を報知する。報知部１０は、例えば、異常を報知するための警報器により構成される。
【００４１】
ＬＮＧサテライト設備制御装置１１は、異常報知制御装置１１１と、バイパス管調節弁制御装置１１２と、温水返水管調節弁制御装置１１３と、温水バッファタンク温度制御装置１１４と、を備える。
【００４２】
異常報知制御装置１１１は、ＬＮＧサテライト設備１００の異常を報知部１０に報知させる。具体的には、異常報知制御装置１１１は、第１の検出部８で検出された第１の水圧の値と第２の検出部９で検出された第２の水圧の値との差が所定値以上になった場合、報知部１０に異常を報知させる。また、異常報知制御装置１１１は、ＮＧ供給管１３に設けられた温度センサ３０によって測定されたＮＧの温度が所定値以下になった場合、報知部１０に異常を報知させる。
【００４３】
バイパス管調節弁制御装置１１２は、ＮＧ供給管１３に設けられた温度センサ３０に応じてバイパス管調節弁３１の開閉状態を制御する。具体的には、バイパス管調節弁制御装置１１２は、温度センサ３０によって測定されたＮＧの温度が所定値以上の場合、バイパス管調節弁３１の開度を大きくさせ、そのＮＧの温度が所定値以下の場合、バイパス管調節弁３１の開度を小さくさせる。
【００４４】
温水返水管調節弁制御装置１１３は、第１の検出部８で検出された第１の水圧の値および第２の検出部９で検出された第２の水圧の値に応じて温水返水管調節弁２０の開閉状態を制御する。具体的には、温水返水管調節弁制御装置１１３は、第１の水圧の値および第２の水圧の値が所定値以下になった場合、温水返水管調節弁２０の開度を小さくさせ、その水圧の値が所定値以上になった場合、温水返水管調節弁２０の開度を大きくさせる。
【００４５】
温水バッファタンク温度制御装置１１４は、温水供給管７に設けられた温度センサに応じて蒸気生成部１６に設けられた蒸気供給弁の開閉状態を制御する。具体的には、温水バッファタンク温度制御装置１１４は、温水供給管７に設けられた温度センサによって測定された温水の温度が所定値以下になった場合、蒸気供給弁の開度を大きくさせ、その温水の温度が所定値以上になった場合、蒸気供給弁の開度を小さくさせる。
【００４６】
第１のストレーナ２３は、円筒形状のストレーナ本体と、その本体の内面側に配置される網目状部材と、を備える。この第１のストレーナ２３は、第１の払出しノズル部５に取り付けられ第１の温水バッファタンク３の内方に突出して配置される。第１のストレーナ２３の一端部は、第１の払出しノズル部５と連結する。第１のストレーナ２３の他端部は、閉鎖されている。第１のストレーナ２３は、周面に複数の開口部があり、その開口部に内面側から網目状部材が設けられる。第１の温水バッファタンク３内の温水は、その開口部の網目状部材を通して第１の払出しノズル部５に排出される。
【００４７】
第２のストレーナ２４は、円筒形状のストレーナ本体と、その本体の内面側に配置される網目状部材と、を備える。この第２のストレーナ２４は、第２の払出しノズル部６に取り付けられ第２の温水バッファタンク４の内方に突出して配置される。第２のストレーナ２４の一端部は、第２の払出しノズル部６と連結する。第２のストレーナ２４の他端部は、閉鎖されている。第２のストレーナ２４は、周面に複数の開口部があり、その開口部に内面側から網目状部材が設けられる。第２の温水バッファタンク４内の温水は、その開口部の網目状部材を通して第２の払出しノズル部６に排出される。
【００４８】
以上のサテライト設備１００によれば、以下のような効果を奏する。
【００４９】
第１の温水バッファタンク３の水圧を検出する第１の検出部８と、第２の温水バッファタンク４の水圧を検出する第２の検出部９とを設け、第１の検出部８から検出された第１の水圧の値と第２の検出部９から検出された第２の水圧の値との差が所定値以上になった場合に報知部１０に異常を報知させた。これにより、第１の温水バッファタンク３または第２の温水バッファタンク４のいずれか一方が詰まった場合に異常が報知される。よって、片方の温水バッファタンクに異常が生じた場合にももう一方の温水バッファタンクが正常に動作されるため、温水の供給が停止しない。その結果、温水を温水使用部に安定的に供給することができる。
【００５０】
第１の払出しノズル部５に取り付けられ第１の温水バッファタンク３の内方に突出して配置される第１のストレーナ２３と、第２の払出しノズル部６に取り付けられ第２の温水バッファタンク４の内方に突出して配置される第２のストレーナ２４と、を設けた。これにより、第１の温水バッファタンク３内の温水中の異物が第１の払出しノズル部５に進入するのを防止でき、第２の温水バッファタンク４内の温水中の異物が第２の払出しノズル部６に進入するのを防止できる。従って、払出しノズル部における異物の詰まりを軽減することができる。
【００５１】
第１のストレーナ２３および第２のストレーナ２４の各々を、円筒形状とし、該円筒形状の周面に網目状部材を配置した。これにより、第１の払出しノズル部５および第２の払出しノズル部６の各々から排出される温水の吸い込み面積が増加することで流速が低下し、異物の吸い込みを軽減できる。また、網目状により、細かな異物も第１の払出しノズル部５および第２の払出しノズル部６に進入するのを防止できる。従って、払出しノズル部における異物の詰まりをさらに軽減することができる。
【００５２】
バイパス管調節弁３１と、バイパス管調節弁制御装置１１２とを設け、ＮＧ供給管１３に設けられた温度センサ３０によって測定されたＮＧの温度が所定値以下になった場合、バイパス管調節弁３１の開度を小さくさせ、そのＮＧの温度が所定値以上になった場合、バイパス管調節弁３１の開度を大きくさせた。これにより、温度センサ３０によって測定されたＮＧの温度が所定値以下になった場合、ＬＮＧ気化器２に供給する温水の量を増加させ、ＬＮＧ気化器２の温度を上げることができる。そのＮＧの温度が所定値以上になった場合、ＬＮＧ気化器２に供給する温水の量を減少させ、ＬＮＧ気化器２の温度を下げることができる。従って、ＬＮＧ気化器２内で変換されるＮＧの温度を一定に保持することができる。
【００５３】
温水返水管調節弁２０と、温水返水管調節弁制御装置１１３とを設け、第１の検出部８から検出された第１の水圧の値と第２の検出部９から検出された第２の水圧の値が、所定値以下になった場合、温水返水管調節弁２０の開度を小さくさせ、その水圧の値が、所定値以上になった場合、温水返水管調節弁２０の開度を大きくさせた。これにより、第１の温水バッファタンク３および第２の温水バッファタンク４における水圧が所定値以下になった場合、温水返水管２１に流れる温水の量を増加させ、第１の温水バッファタンク３および第２の温水バッファタンク４に温水を再び戻すことができる。第１の温水バッファタンク３および第２の温水バッファタンク４における水圧が所定値以上になった場合、温水返水管２１に流れる温水の量を減少させ、温水返水管２２を介して温水を温水生成部１４に戻すことができる。従って、ＬＮＧサテライト設備内を循環する温水を効率よく再利用することができ、温水バッファタンク３および温水バッファタンク４の水圧を一定のレベルに保持することができる。
【００５４】
蒸気供給調節弁と、温水バッファタンク温度制御装置１１４とを設け、温水供給管７に設けられた温度センサによって測定された温度が所定値以下になった場合、蒸気供給調節弁の開度を大きくさせ、その温度が所定値以上になった場合、蒸気供給調節弁の開度を小さくさせた。これにより、温水供給管７における温水の温度が所定値以下になった場合、第１の温水バッファタンク３および第２の温水バッファタンク４に供給する蒸気の量を増加させ、温水の温度を上げることができる。温水供給管７における温水の温度が所定値以上になった場合、第１の温水バッファタンク３および第２の温水バッファタンク４に供給する蒸気の量を減少させることができる。従って、ＬＮＧ気化器２に供給される温水の温度を一定に保持することができる。
【００５５】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【符号の説明】
【００５６】
１  ＬＮＧ貯留タンク
２  ＬＮＧ気化器
３  第１の温水バッファタンク
４  第２の温水バッファタンク
５  第１の払出しノズル部
６  第２の払出しノズル部
７、７ｃ  温水供給管
７ａ、７ｂ  温水供給管調節弁
７ｄ  バイパス管
８  第１の検出部
９  第２の検出部
１０  報知部
１１  ＬＮＧサテライト設備制御装置
１２  ＬＮＧ供給管
１３  ＮＧ供給管
１４  温水生成部
１５、２７ａ、２７ｂ  温水送水管
１６  蒸気生成部
１７、２９ａ、２９ｂ  蒸気供給管
１８  ポンプ
１９、２１、２２、２８ａ、２８ｂ  温水返水管
２０  温水返水管調節弁
２３  第１のストレーナ
２４  第２のストレーナ
２５  ＬＮＧ流通管
２６  温水流通管
３０  温度センサ
３１  バイパス管調節弁
１００  ＬＮＧサテライト設備
【図１】
2011027282.tif 000003
【図２】
2011027282.tif 000004